(57)【要約】【課題】液滴をより高い周波数で吐出可能な液体噴射装置を提供する。【解決手段】駆動信号発生回路が発生する駆動信号ＣＯＭには、記録階調で規定される単位周期に亘って発生される単位周期信号ＰＤ１，ＰＤ２を信号発生周期の中に含ませる。これらの単位周期信号を、微振動パルスＶＰ及び吐出パルスＳＰ、ＭＰ１，ＭＰ２を有する第１単位周期信号ＰＤ１と微振動パルスＶＰを有さず吐出パルスＳＰ、ＭＰ１，ＭＰ２のみを有する第２単位周期信号ＰＤ２とから構成すると共に、前記第１単位周期信号及び第２単位周期信号に含まれる吐出パルスの種類と発生順序を揃える。【選択図】図７
2008120098.tif 000002
【特許請求の範囲】
【請求項１】
圧力発生素子の作動によって圧力室内の液体に圧力変動を生じさせ、この圧力変動を利用してノズル開口から液滴を吐出可能な噴射ヘッドと、
液滴を吐出させる吐出パルスとメニスカスを微振動させる微振動パルスとを含む一連の駆動信号を、発生タイミング信号を受信する毎に信号発生周期に亘って発生する駆動信号発生手段と、
前記駆動信号に含まれるパルスを液滴の吐出階調に応じて選択すると共に、選択したパルスを圧力発生素子に供給するパルス供給手段とを備えた液体噴射装置において、
前記駆動信号は、前記吐出階調で規定される単位周期に亘って発生される単位周期信号を前記信号発生周期の中に複数含み、
該単位周期信号を、微振動パルス及び吐出パルスを有する第１単位周期信号と微振動パルスを有さず吐出パルスのみを有する第２単位周期信号とから構成すると共に、これらの第１単位周期信号及び第２単位周期信号に関し、含まれる吐出パルスの種類と発生順序を揃え、
前記駆動信号発生手段は、前記第１単位周期信号及び第２単位周期信号を１つの信号発生周期の中に混在させた混在駆動信号を発生することを特徴とする液体噴射装置。
【請求項２】
前記混在駆動信号は、１つの信号発生周期の中に、吐出させる液体の種類に応じて設定されたＮ個（Ｎは２以上の整数）の単位周期信号を含むと共に、該Ｎ個の単位周期信号中の１個を前記第２単位周期信号とし、
前記信号発生周期内における微振動の実行頻度を１／Ｎ回にすることを特徴とする請求項１に記載の液体噴射装置。
【請求項３】
前記混在駆動信号は、前記信号発生周期の先頭部分に少なくとも１個の前記第２単位周期信号を有し、
前記微振動パルスによる微振動を前記信号発生周期の途中で実行可能に構成したことを特徴とする請求項１又は請求項２に記載の液体噴射装置。
【請求項４】
前記パルス供給手段は、パルスの選択タイミングを定めるための選択タイミング信号を出力する選択タイミング信号出力手段と、選択タイミング信号の受信毎にパルス選択データを出力するパルス選択データ出力手段とを備え、
選択タイミング信号出力手段は、第２単位周期信号用の選択タイミング信号の中に、第１単位周期信号の微振動パルスに対応するダミー選択タイミング信号を含ませて出力することを特徴とする請求項１から請求項３の何れかに記載の液体噴射装置。
【請求項５】
前記駆動信号の時間幅を前記発生タイミング信号の発生間隔ばらつきの最小値以下に設定したことを特徴とする請求項１から請求項４の何れかに記載の液体噴射装置。
【請求項６】
前記吐出階調のラッチタイミングを定めるためのラッチ信号を周期的に出力するラッチ信号出力手段を設け、
前記単位周期信号の時間幅を前記ラッチ信号の発生間隔ばらつきの最小値以下に設定したことを特徴とする請求項１から請求項４の何れかに記載の液体噴射装置。
【請求項７】
前記吐出パルスを少量の液滴を吐出可能な小液滴吐出パルス及び中量の液滴を吐出可能な中液滴吐出パルスによって構成し、
前記第１単位周期信号は、一対の中液滴吐出パルスと、これら中液滴吐出パルス同士の間に発生される１つの小液滴吐出パルスと、前記微振動パルスとを単位周期内に備え、
前記第２単位周期信号は、一対の中液滴吐出パルスと、これら中液滴吐出パルス同士の間に発生される１つの小液滴吐出パルスとを単位周期内に備えたことを特徴とする請求項１から請求項６の何れかに記載の液体噴射装置。
【請求項８】
前記吐出パルスを少量の液滴を吐出可能な小液滴吐出パルスによって構成し、
前記第１単位周期信号は、等間隔で発生される複数の前記小液滴吐出パルスと前記微振動パルスとを単位周期内に備え、
前記第２単位周期信号は、等間隔で発生される複数の前記小液滴吐出パルスを単位周期内に備えたことを特徴とする請求項１から請求項６の何れかに記載の液体噴射装置。
【請求項９】
圧力発生素子の作動によって圧力室内の液体に圧力変動を生じさせ、この圧力変動を利用してノズル開口から液滴を吐出可能な噴射ヘッドと、
液滴を吐出させる吐出パルスとメニスカスを微振動させる微振動パルスとを含む一連の駆動信号を、発生タイミング信号を受信する毎に信号発生周期に亘って発生する駆動信号発生手段と、
前記駆動信号に含まれるパルスを液滴の吐出階調に応じて選択すると共に、選択したパルスを圧力発生素子に供給するパルス供給手段とを備えた液体噴射装置の制御方法において、
前記駆動信号には、前記吐出階調で規定される単位周期に亘って発生される単位周期信号を前記信号発生周期の中に複数含ませ、
該単位周期信号を、微振動パルス及び吐出パルスを有する第１単位周期信号と微振動パルスを有さず吐出パルスのみを有する第２単位周期信号とから構成すると共に、これらの第１単位周期信号及び第２単位周期信号に関し、含まれる吐出パルスの種類と発生順序を揃え、
前記第１単位周期信号及び第２単位周期信号を１つの信号発生周期の中に混在させた混在駆動信号を前記駆動信号発生手段から発生させることを特徴とする液体噴射装置の制御方法。
【発明の詳細な説明】
【技術分野】
【０００１】
本発明は、液体を液滴の状態でノズル開口から吐出させる液体噴射装置、及び、その制御方法に関し、特に、メニスカスを微振動させて液体の増粘を防止するものに関する。
【背景技術】
【０００２】
液体を液滴の状態で吐出可能な液体噴射装置の一種に、プリンタやプロッタ等の画像記録装置がある。この画像記録装置では、液体状のインクを噴射ヘッドから吐出（噴射）し、記録紙等の印刷記録媒体に着弾させることで文字や画像を記録する。また、最近では、極少量の液体を精度良く着弾できる特性を生かして種々の装置への応用が検討されている。例えば、液晶ディスプレイ等のカラーフィルタを製造するディスプレイ製造装置、有機ＥＬ（Electro Luminescence）ディスプレイやＦＥＤ（面発光ディスプレイ）等の電極を形成する電極形成装置、バイオチップ（生物化学素子）を製造するチップ製造装置が提案されている。
【０００３】
この種の液体噴射装置では、吐出させる液体がノズル開口で露出してメニスカス（液体の自由表面）を構成している。このメニスカスを通じて溶媒成分の蒸発が生じ、ノズル開口付近において液体の粘度上昇が生じてしまうことがあった。
この粘度上昇を防止すべく、メニスカスを液滴が吐出しない程度に微振動させて液体を攪拌することがなされている。この微振動動作の一種に、液滴の吐出可能な期間内における微振動動作がある。この微振動動作は、例えば、圧力発生素子を駆動するための駆動信号中に微振動パルスを含ませ、この微振動パルスを選択的に圧力発生素子へ供給することで行われる（例えば、特許文献１）。
【０００４】
この場合において、駆動信号発生回路は、発生タイミング信号の受信を契機に一連の駆動信号を発生する。例えば、図１０に示すように、液体噴射装置の一種であるインクジェットプリンタでは、発生タイミング信号ＰＴＳを受信する毎に、一連の駆動信号ＣＯＭを信号発生周期に亘って発生している。これは、液滴の着弾位置を精度良く規定するためである。即ち、上記の発生タイミング信号は、キャリッジ位置を示すリニアエンコーダからのエンコーダ出力を逓倍する（周波数を数倍に高める）ことで生成されている。これにより、記録ヘッドの走査位置と信号の発生タイミングとのずれを可及的に少なくでき、着弾位置の精度を高めることができる。また、上記の信号発生周期は、液滴の吐出階調（プリンタでは記録階調）を１単位とするように規定されている。従って、上記のプリンタでは、１ドットの領域が到来する毎に発生タイミング信号を発生している。
【０００５】
【特許文献１】特開平１０−８１０１３号公報（第６〜７頁，図４）
【発明の開示】
【発明が解決しようとする課題】
【０００６】
ところで、この種の液体噴射装置では、液滴の高周波吐出が求められている。
これは、処理の高速化や着弾密度の向上が図れるためである。例えば、インクジェットプリンタでは、インク滴の吐出周波数を高めることができると、画像の解像度は維持しつつも記録ヘッドの走査速度をその分だけ高めることができる。また、記録ヘッドの走査速度はそのままに画像の解像度を高めることもできる。
【０００７】
ここで、液滴の高周波吐出を実現するためには、液滴を吐出させるための吐出パルスに関し、前後の吐出パルス同士の発生間隔を短くする必要がある。しかしながら、上記の微振動パルスは、メニスカスを振動させるためだけのものであり、液滴の吐出には関与しない。このため、微振動パルスを各吐出周期に入れる従来の構成では、微振動パルス用の時間が必要となる。従って、微振動パルスの分だけ液滴の吐出間隔が間延びしてしまい、液滴の高周波吐出に対する障害となってしまう。
【０００８】
また、微振動動作の必要度合いは、吐出させる液体の種類によって相違する。
即ち、非吐出期間において頻繁な微振動を必要とする液体もあれば、そうでない液体もある。従って、液体の種類に拘わらず一律に行うのは効率的ではない。
【０００９】
本発明は、このような事情に鑑みてなされたものであり、その目的は、液滴をより高い周波数で吐出可能な液体噴射装置及びその制御方法を提供することにある。
【課題を解決するための手段】
【００１０】
本発明は、上記目的を達成するために提案されたものであり、圧力発生素子の作動によって圧力室内の液体に圧力変動を生じさせ、この圧力変動を利用してノズル開口から液滴を吐出可能な噴射ヘッドと、液滴を吐出させる吐出パルスとメニスカスを微振動させる微振動パルスとを含む一連の駆動信号を、発生タイミング信号を受信する毎に信号発生周期に亘って発生する駆動信号発生手段と、前記駆動信号に含まれるパルスを液滴の吐出階調に応じて選択すると共に、選択したパルスを圧力発生素子に供給するパルス供給手段とを備えた液体噴射装置において、前記駆動信号には、前記吐出階調で規定される単位周期に亘って発生される単位周期信号を前記信号発生周期の中に複数含ませ、該単位周期信号を、微振動パルス及び吐出パルスを有する第１単位周期信号と微振動パルスを有さず吐出パルスのみを有する第２単位周期信号とから構成すると共に、これらの第１単位周期信号及び第２単位周期信号に関し、含まれる吐出パルスの種類と発生順序を揃え、前記第１単位周期信号及び第２単位周期信号を１つの信号発生周期の中に混在させた混在駆動信号を前記駆動信号発生手段から発生させることを特徴とする。
【００１１】
この発明によれば、混在駆動信号は複数の単位周期を繰り返し周期とし、その中に第１単位周期信号と第２単位周期信号とを含んでいる。そして、第２単位周期信号には微振動パルスが含まれていないので、微振動パルスがない分だけその単位周期を第１単位周期信号よりも短くすることができる。これにより、必要な微振動を入れつつも信号発生周期を可及的に短くすることができる。即ち、駆動信号に関し、１単位の発生期間を可及的に短くすることができる。その結果、液滴の高周波吐出を実現することができる。
【００１２】
上記発明において、前記混在駆動信号は、１つの信号発生周期の中に、吐出させる液体の種類に応じて設定されたＮ個（Ｎは２以上の整数）の単位周期信号を含むと共に、該Ｎ個の単位周期信号中の１個を前記第２単位周期信号とし、前記信号発生周期内における微振動の実行頻度を１／Ｎ回にする構成が好ましい。
この発明によれば、混在駆動信号における微振動の実行頻度が液体の種類によって規定される。これにより、微振動の実行頻度が液体の種類に応じて最適化される。従って、その液体に必要充分な微振動を与えつつも、液滴の吐出周波数を可及的に高めることができる。
【００１３】
上記発明において、前記混在駆動信号は、前記信号発生周期の先頭部分に少なくとも１個の前記第２単位周期信号を有し、前記微振動パルスによる微振動を前記信号発生周期の途中で実行可能にする構成が好ましい。
【００１４】
上記発明において、前記パルス供給手段は、パルス選択タイミングを規定するための選択タイミング信号を出力する選択タイミング信号出力手段と、選択タイミング信号の受信毎にパルス選択データを出力するパルス選択データ出力手段とを備え、選択タイミング信号出力手段は、第２単位周期信号用の選択タイミング信号の中に、第１単位周期信号の微振動パルスに対応するダミー選択タイミング信号を含ませて出力する構成が好ましい。
この発明によれば、微振動パルスを有する第１単位周期信号のパルス選択データのビット数と、微振動パルスを有さない第２単位周期信号のパルス選択データのビット数とを揃えることができる。これにより、第１単位周期信号のパルス選択データと第２単位周期信号のパルス選択データとを同じ様に取り扱うことができ、処理の簡素化が図れ高速処理に適する。
【００１５】
上記発明において、前記駆動信号の時間幅を前記発生タイミング信号の発生間隔ばらつきの最小値以下に設定する構成が好ましい。
また、前記吐出階調のラッチタイミングを規定するラッチ信号を周期的に出力するラッチ信号出力手段を設け、前記単位周期信号の時間幅を前記ラッチ信号の発生間隔ばらつきの最小値以下に設定する構成が好ましい。
これらの構成によれば、発生タイミング信号の発生間隔ばらつきに基づいて駆動信号の時間幅を定め、ラッチ信号の発生間隔ばらつきに基づいて単位周期信号の時間幅を定めているので、駆動信号の発生中に発生タイミング信号が発生して次周期の駆動信号が発生してしまう不具合や、単位周期信号の発生中にラッチ信号が発生して次周期の単位周期信号が発生してしまう不具合を確実に防止することができる。
【００１６】
上記発明において、前記吐出パルスを少量の液滴を吐出可能な小液滴吐出パルス及び中量の液滴を吐出可能な中液滴吐出パルスによって構成し、前記第１単位周期信号は、一対の中液滴吐出パルスと、これら中液滴吐出パルス同士の間に発生される１つの小液滴吐出パルスと、前記微振動パルスとを単位周期内に備え、前記第２単位周期信号は、一対の中液滴吐出パルスと、これら中液滴吐出パルス同士の間に発生される１つの小液滴吐出パルスとを単位周期内に備える構成が好ましい。
また、前記吐出パルスを少量の液滴を吐出可能な小液滴吐出パルスによって構成し、前記第１単位周期信号は、等間隔で発生する複数の前記小液滴吐出パルスと前記微振動パルスとを単位周期内に備え、前記第２単位周期信号は、等間隔で発生する複数の前記小液滴吐出パルスを単位周期内に備える構成が好ましい。
【発明を実施するための最良の形態】
【００１７】
以下、本発明の実施形態を図面に基づいて説明する。なお、以下の説明では液体噴射装置の一形態である画像記録装置、詳しくは、インクジェット式プリンタ（以下、プリンタという。）を例に挙げて説明することにする。
【００１８】
図１は、このプリンタの基本構成を説明する斜視図である。この図１に示すように、プリンタは、記録ヘッド１（本発明の液体噴射ヘッドの一種）が取り付けられると共に、インクカートリッジ２を着脱可能に保持するカートリッジ保持部３を有するキャリッジ４と、このキャリッジ４を記録紙５の紙幅方向（主走査方向）に沿って移動させるヘッド走査機構と、記録紙５を紙送り方向（副走査方向）に沿って移動させる紙送り機構とを備えている。
【００１９】
ヘッド走査機構は、紙幅方向に架設されたガイド軸６と、プリンタにおける主走査方向の一側に配設されたパルスモータ７と、このパルスモータ７の回転軸に接続され、パルスモータ７によって回転駆動される駆動プーリー８と、駆動プーリー８とは反対側の主走査方向他側に配設された遊転プーリー９と、駆動プーリー８と遊転プーリー９との間に掛け渡され、キャリッジ４に接続されたタイミングベルト１０と、キャリッジ４（記録ヘッド１）の位置情報を出力するリニアエンコーダ１１と、パルスモータ７の回転を制御する制御部１２（図６参照）とから構成される。また、紙送り機構は、駆動源としての紙送りモータ１３と、この紙送りモータ１３によって回転駆動される紙送りローラ１４と、紙送りモータ１３の動作を制御する制御部１２とから構成される。
【００２０】
上記の記録ヘッド１は、例えば図２に示すように、ケース２１と、このケース２１内に収納される振動子ユニット２２と、ケース２１の先端面に接合される流路ユニット２３等から概略構成されている。上記のケース２１は、例えば、エポキシ系樹脂等の熱硬化性樹脂で成型されたブロック状部材であり、振動子ユニット２２を収納可能な収納空部２４等を設けている。上記の振動子ユニット２２は、櫛歯状の圧電振動子２５ａからなる振動子群２５やこの振動子群２５が接合される固定板２６等を有し、各圧電振動子２５ａを片持ち梁の状態で支持している。圧電振動子２５ａは、本発明における圧力発生素子の一種であって、電気機械変換素子の一種であり、振動子電位に応じて自由端部が素子長手方向に伸縮する。
【００２１】
上記の流路ユニット２３は、流路形成基板２７の一方の面にノズルプレート２８を、流路形成基板２７の他方の面に弾性板２９をそれぞれ接合した構成である。そして、この流路ユニット２３には、リザーバ３０と、インク供給口３１と、圧力室３２と、ノズル連通口３３と、ノズル開口３４とを設けている。そして、これらの各部により、インク供給口３１から圧力室３２及びノズル連通口３３を経てノズル開口３４に至る一連のインク流路が、ノズル開口３４に対応する複数形成されている。
【００２２】
上記の弾性板２９にはダイヤフラム部が設けられている。このダイヤフラム部は圧力室３２の一部を区画する部分であり、圧電振動子２５ａの先端面が接合される島部（厚肉部）３５と、この島部３５の周囲に設けられ、弾性を有する薄肉部３６とを有する。そして、圧電振動子２５ａが伸長すると、島部３５が圧力室３２側に押されて変位する。この島部３５の変位によって圧力室容積が減少する。一方、圧電振動子２５ａが収縮すると、島部３５が圧力室３２から離隔する方向に引っ張られる。この島部３５の変位によって圧力室容積が増加する。
【００２３】
このような圧力室３２の容積変化に伴って圧力室３２内のインクに圧力変動が生じる。このため、この圧力変動を制御することでノズル開口３４からインク滴を吐出させることができる。例えば、圧電振動子２５ａを素子長手方向に収縮させた後、急激に伸長させることでインク滴を吐出させることができる。この場合、圧電振動子２５ａの収縮によって圧力室３２が膨張し、リザーバ３０に貯留されているインクが圧力室３２内に流入する。その後、圧電振動子２５ａの急激な伸長によって圧力室３２が急激に収縮し、圧力室３２内のインクが加圧されるので、対応するノズル開口３４からインク滴が吐出される。
なお、圧力室３２内のインクに加える圧力変動パターンを変えることで、吐出されるインク滴の量を変えることができるし、メニスカスを微振動させることもできる。
【００２４】
次に、リニアエンコーダ１１について説明する。このリニアエンコーダ１１は、プリンタの筐体側に主走査方向と平行に張設されたスケール４１（図３，４参照）と、キャリッジ４の背面に取り付けられたフォトインタラプタ４２（図５参照）とを備えている。
【００２５】
スケール４１は透明樹脂によって作製された帯状（バンド状）部材であり、帯幅方向を横断する黒色ストライプ４１ａが帯長手方向に一定ピッチで複数形成されている。本実施形態では、各ストライプ４１ａが１８０ｄｐｉに対応するピッチで印刷されている。このスケール４１の両端部にはそれぞれ係止孔４１ｂ，４１ｃが形成されている。これらの係止孔４１ｂ，４１ｃは、それぞれフックに係止されている。即ち、一方の係止孔４１ｂは、図３に示すように、筐体の背面板表面であって遊転プーリー９側に取り付けられた第１フック４３に係止されている。そして、この第１フック４３は、その弾性によってスケール４１を長手方向外側に引っ張っている。また、他方の係止孔４１ｃは、図４に示すように、パルスモータ７側の側板に設けられた第２フック４４に係止されている。
【００２６】
フォトインタラプタ４２は、一対の発光素子４５と受光素子４６とを、コ字状フレーム４７の内側面に対向状態で取り付けて構成されている。そして、上記スケール４１は、発光素子４５と受光素子４６との間に配設されている。このため、受光素子４６からの検出信号（エンコーダ出力）は、発光素子４５からの光がスケール４１を透過した状態と、ストライプ４１ａが発光素子４５からの光を遮った状態とで出力レベルが異なる。このエンコーダ出力は、図６に示すように、制御部１２に入力されている。
【００２７】
従って、このリニアエンコーダ１１では、キャリッジ４（記録ヘッド１）が主走査方向に移動すると、発光素子４５からの光をストライプ４１ａが間歇的に遮るので、受光素子４６からはパルス状の検出信号が出力される。そして、ストライプ４１ａが一定間隔で設けられているので、制御部１２は、エンコーダ出力に基づいてキャリッジ４の走査位置を認識することができる。
なお、このリニアエンコーダ１１は、キャリッジ４の移動に応じたエンコーダ出力が得られれば、この構成に限定されるものではない。例えば、スケール４１を遮光性のバンド部材によって構成すると共に、透光性のスリットを一定間隔で設けてもよい。
【００２８】
次に、図６のブロック図に基づき、プリンタの電気的構成について説明する。
例示したプリンタは、プリンタコントローラ５１と、プリントエンジン５２とを備えている。プリンタコントローラ５１は、図示しないホストコンピュータ等からの印刷データ等を受信するインターフェース（外部Ｉ／Ｆ）５３と、各種データの記憶等を行うＲＡＭ５４と、各種データ処理のためのルーチン等を記憶したＲＯＭ５５と、ＣＰＵ等からなる制御部１２と、クロック信号（ＣＫ）を発生する発振回路５６と、記録ヘッド１へ供給するための駆動信号（ＣＯＭ）を発生する駆動信号発生回路５７と、印字データ（ドットパターンデータであり、階調情報の一種。）及び駆動信号等をプリントエンジン５２に送信するためのインターフェース（内部Ｉ／Ｆ）５８とを備えている。
【００２９】
外部Ｉ／Ｆ５３は、例えばキャラクタコード、グラフィック関数、イメージデータのいずれか１つのデータ又は複数のデータからなる印刷データをホストコンピュータ等から受信する。また、外部Ｉ／Ｆ５３は、ホストコンピュータに対してビジー信号（ＢＵＳＹ）やアクノレッジ信号（ＡＣＫ）等を出力する。ＲＡＭ５４は、受信バッファ、中間バッファ、出力バッファ、或いはワークメモリ（図示せず）等として利用されるものである。受信バッファには、外部Ｉ／Ｆ５３が受信したホストコンピュータからの印刷データが一時的に記憶される。中間バッファには、制御部１２によって変換された中間コードデータが記憶される。出力バッファには、記録ヘッド１にシリアル伝送される印字データが展開される。ＲＯＭ５５は、制御部１２によって実行される各種制御ルーチン、フォントデータ及びグラフィック関数、各種手続き等を記憶している。
【００３０】
制御部１２は、データ展開手段として機能し、印刷データを印字データに展開する。この場合において、制御部１２は、受信バッファ内の印刷データを読み出して中間コードデータに変換し、この中間コードデータを中間バッファに記憶する。そして、制御部１２は、中間バッファから読み出した中間コードデータを解析し、ＲＯＭ５５内のフォントデータやグラフィック関数等を参照して中間コードデータをドット毎の印字データに展開する。本実施形態では、この印字データを２ビットデータで構成している。この展開された印字データは出力バッファに記憶されて、一回の主走査に相当する１行分の印字データが得られると、この１行分の印字データ（ＳＩ）は内部Ｉ／Ｆ５８を通じて記録ヘッド１にシリアル伝送される。そして、出力バッファから１行分の印字データが送信されると、中間バッファの内容が消去されて次の中間コードデータに対する変換が行われる。
【００３１】
また、制御部１２は、発生タイミング信号（ＰＴＳ）を出力する発生タイミング信号出力手段としても機能する。ここで、発生タイミング信号とは、駆動信号発生回路５７が発生する駆動信号の発生開始タイミングを定める信号である。即ち、駆動信号発生回路５７は、この発生開始タイミング信号を受信する毎に、一連の駆動信号を信号発生周期に亘って出力する。本実施形態では、この発生開始タイミング信号を７２０ｄｐｉに対応する間隔で出力する。そして、制御部１２は、リニアエンコーダ１１からのエンコーダ出力を４逓倍することにより、発生タイミング信号を出力する。例えば、直前の一周期を１／４することで発生タイミング信号の出力間隔を求め、この出力間隔に基づいて発生タイミング信号を出力する。
【００３２】
さらに、制御部１２は、ラッチ信号出力手段、及び、選択タイミング信号出力手段としても機能し、印字データのラッチタイミングを規定するラッチ信号（ＬＡＴ）、及び、駆動信号に含まれるパルスの選択タイミングを規定するチャンネル信号（ＣＨ，本発明の選択タイミング信号の一種）を出力する。本実施形態のラッチ信号は、後述するように、発生開始タイミング信号の受信によって１回目を発生し、その後、規定時間の経過を条件に２回目を発生する。このため、制御部１２は、１回目のラッチ信号を発生した後からの経過時間を計時する計時手段としても機能する。換言すれば、ラッチ信号出力手段は、１回目のラッチ信号の発生タイミングを基準に２回目のラッチ信号の発生タイミングを規定している。
【００３３】
上記の駆動信号発生回路５７は、本発明における駆動信号発生手段の一種であり、図７に例示するように、複数の吐出パルス（ＳＰ，ＭＰ１，ＭＰ２）及び微振動パルス（ＶＰ）を含んだ一連の駆動信号（ＣＯＭ）を信号発生周期に亘って発生する。なお、この駆動信号については後で詳しく説明する。
また、本実施形態における駆動信号発生回路５７は、制御部１２からの変化量情報（電圧の変化量を示す情報）を適時に取得し、取得した変化量情報を極短い更新周期単位で加算する構成を有している。そして、信号発生周期の終了時点では、値［０］の変化量情報が制御部１２から与えられる。このため、信号発生周期の終了時点から次の信号発生周期の開始時点までの期間は、制御部１２による制御は解かれるものの中間電位Ｖｍで一定の信号を出力する。
【００３４】
上記のプリントエンジン５２は、ヘッド走査機構が備えるパルスモータ７と、紙送り機構が備える紙送りモータ１３と、記録ヘッド１等から構成される。パルスモータ７は、記録ヘッド１を移動させる駆動源として機能する。即ち、このパルスモータ７を作動させることで、記録ヘッド１は記録紙５の幅方向（つまり、主走査方向）に移動される。また、紙送りモータ１３は、記録紙５を紙送り方向（つまり、副走査方向）順次送り出すための駆動源として機能する。そして、これらのパルスモータ７と紙送りモータ１３は、制御部１２による制御の下、互いに連係して動作する。
【００３５】
次に、記録ヘッド１の電気的構成について説明する。記録ヘッド１は、第１シフトレジスタ６１及び第２シフトレジスタ６２からなるシフトレジスタ回路と、第１ラッチ回路６３と第２ラッチ回路６４とからなるラッチ回路と、デコーダ６５と、制御ロジック６６と、レベルシフタ６７と、スイッチ回路６８と、圧電振動子２５ａとを備えている。そして、各シフトレジスタ６１，６２、各ラッチ回路６３，６４、デコーダ６５、レベルシフタ６７、スイッチ回路６８、及び、圧電振動子２５ａは、それぞれ記録ヘッド１の各ノズル開口３４に対応して複数設けられる。
【００３６】
そして、この記録ヘッド１は、プリンタコントローラ５１からの印字データ（ＳＩ）に基づいてインク滴を吐出する。具体的に説明すると、次の通りである。
プリンタコントローラ５１からの印字データは、発振回路５６からのクロック信号（ＣＫ）に同期して、内部Ｉ／Ｆ５８から第１シフトレジスタ６１及び第２シフトレジスタ６２にシリアル伝送される。この印字データは、上記したように２ビットのデータであり、本実施形態では、非記録、小ドット、中ドット、大ドットからなる４段階の記録階調（吐出階調の一種）を表す階調情報によって構成されている。具体的には、非記録が階調情報［００］であり、小ドットが階調情報［０１］であり、中ドットが階調情報［１０］であり、大ドットが階調情報［１１］である。
【００３７】
この印字データは各ノズル開口３４毎に設定されており、全てのノズル開口３４における下位ビット（Ｌ）のデータが第１シフトレジスタ６１に入力されると共に、上位ビット（Ｈ）のデータが第２シフトレジスタ６２に入力される。第１シフトレジスタ６１には第１ラッチ回路６３が電気的に接続され、第２シフトレジスタ６２には第２ラッチ回路６４が電気的に接続されている。そして、プリンタコントローラ５１からのラッチ信号（ＬＡＴ）が各ラッチ回路に入力されると、第１ラッチ回路６３は印字データの下位ビットのデータをラッチし、第２ラッチ回路６４は印字データの上位ビットのデータをラッチする。このような動作をする第１シフトレジスタ６１及び第１ラッチ回路６３の組と、第２シフトレジスタ６２及び第２ラッチ回路６４の組は、それぞれが記憶回路を構成し、デコーダ６５に入力される前の印字データを一時的に記憶する。
【００３８】
各ラッチ回路でラッチされた印字データはデコーダ６５に入力される。このデコーダ６５は翻訳手段として機能し、２ビットの印字データを翻訳してパルス選択データを生成する。本実施形態のデコーダ６５は、印字データと駆動パルスとの関係を規定する波形選択テーブルを備えており、この波形選択テーブルに基づいてパルス選択データを生成する。パルス選択データは、駆動信号（ＣＯＭ）を構成する各パルスに各ビットを対応させることで構成されている。本実施形態では、４ビットのパルス選択データが生成される。そして、各ビットの内容（例えば、［０］，［１］）に応じて圧電振動子２５ａに対する駆動パルスの供給或いは非供給が選択される。なお、駆動パルスの供給制御については後で詳しく説明する。
【００３９】
また、デコーダ６５には、制御ロジック６６からのタイミング信号も入力されている。この制御ロジック６６は、ラッチ信号（ＬＡＴ）やチャンネル信号（ＣＨ）に基づいてタイミング信号を発生する。即ち、この制御ロジック６６は、ラッチ信号或いはチャンネル信号の受信を契機にタイミング信号を発生する。そして、デコーダ６５は、パルス選択データ出力手段としても機能し、タイミング信号を受信する毎にパルス選択データを出力する。
【００４０】
この場合、デコーダ６５によって翻訳されたパルス選択データは、上位ビット側から順に、タイミング信号の受信タイミングが到来する毎にレベルシフタ６７に入力される。例えば、単位周期における最初のタイミング（例えば、図７に示す期間ｔ１，ｔ１’の開始時）ではパルス選択データの最上位ビットのデータがレベルシフタ６７に入力され、２番目のタイミング（期間ｔ２の開始時）ではパルス選択データにおける２番目のビットのデータがレベルシフタ６７に入力される。以下同様にデータが入力され、４番目のタイミング（期間ｔ４の開始時）ではパルス選択データにおける最下位ビットのデータがレベルシフタ６７に入力される。このレベルシフタ６７は、電圧増幅器として機能し、パルス選択データが［１］の場合には、スイッチ回路６８を駆動できる電圧、例えば数十ボルト程度の電圧に昇圧された電気信号を出力する。レベルシフタ６７で昇圧された［１］のパルス選択データは、スイッチ手段として機能するスイッチ回路６８に供給される。このスイッチ回路６８の入力側には、駆動信号発生回路５７からの駆動信号（ＣＯＭ）が供給されており、スイッチ回路６８の出力側には圧電振動子２５ａが接続されている。
【００４１】
そして、パルス選択データは、スイッチ回路６８の作動、つまり、パルスの圧電振動子２５ａへの供給を制御する。例えば、スイッチ回路６８に加わるパルス選択データが［１］である期間中は、スイッチ回路６８が接続状態になって駆動パルスが圧電振動子２５ａに供給され、この駆動パルスに倣って圧電振動子２５ａの電位レベルが変化する。一方、スイッチ回路６８に加わるパルス選択データが［０］の期間中は、レベルシフタ６７からはスイッチ回路６８を作動させるための電気信号が出力されない。このため、スイッチ回路６８が切断状態になって圧電振動子２５ａへは駆動パルスが供給されない。なお、圧電振動子２５ａはコンデンサの様に振る舞うので、スイッチ回路６８の切断状態において切断直前の電位を保持し続ける。
【００４２】
このような動作をするデコーダ６５、制御ロジック６６、レベルシフタ６７、スイッチ回路６８、及び、制御部１２は、本発明におけるパルス供給手段の一種として機能し、印字データに基づき、駆動信号の中から駆動パルスを選択して圧電振動子２５ａに供給する。
【００４３】
次に、駆動信号発生回路５７（駆動信号発生手段の一種）が発生する駆動信号ＣＯＭについて説明する。
【００４４】
本実施形態の駆動信号ＣＯＭは、図７に示すように、ラッチ信号（ＬＡＴ）を基準として前半部分と後半部分とに分けることができ、前半部分が前側単位周期信号ＰＤ１であって、後半部分が後側単位周期信号ＰＤ２である。これらの前側単位周期信号ＰＤ１、及び、後側単位周期信号ＰＤ２は、１ドット（階調情報）で規定される単位周期に亘って発生される。言い換えれば、この駆動信号ＣＯＭは、記録階調で規定される単位周期に亘って発生される単位周期信号ＰＤ１，ＰＤ２を信号発生周期（駆動信号ＣＯＭの時間幅であり、具体的には、後側単位周期信号ＰＤ２における第２中ドット吐出パルスＭＰ２の終端までの時間。）の中に２つ含んでいるといえる。
【００４５】
これらの前側単位周期信号ＰＤ１及び後側単位周期信号ＰＤ２は、含まれているパルスが異なっている。即ち、前側単位周期信号ＰＤ１は、第１中ドット吐出パルスＭＰ１（中液滴吐出パルスの一種）、小ドット吐出パルスＳＰ（小液滴吐出パルスの一種）、及び、第２中ドット吐出パルスＭＰ２（中液滴吐出パルスの一種）からなる３つの吐出パルスのみから構成され、後側単位周期信号ＰＤ２は、上記３つの吐出パルスＳＰ，ＭＰ１，ＭＰ２と、微振動パルスＶＰとから構成されている。要するに、前側単位周期信号ＰＤ１と後側単位周期信号ＰＤ２とは、微振動パルスＶＰの有無が相違しており、含まれている吐出パルスの種類と発生順序については揃えられている。
【００４６】
従って、前側単位周期信号ＰＤ１は本発明の第２単位周期信号の一種に相当し、後側単位周期信号ＰＤ２は本発明の第１単位周期信号の一種に相当する。そして、駆動信号ＣＯＭの中には、これらの前側単位周期信号ＰＤ１及び後側単位周期信号ＰＤ２が混在している。このため、例示した駆動信号ＣＯＭは、本発明の混在駆動信号ＣＯＭの一種ということができる。
【００４７】
以下、各パルスについて説明する。なお、上記したように、前側単位周期信号ＰＤ１と後側単位周期信号ＰＤ２とは、微振動パルスＶＰの有無が相違するのみであり、含まれているパルスの種類は同じであるので、後側単位周期信号ＰＤ２に含まれる各パルスについて説明する。
【００４８】
まず、微振動パルスＶＰについて説明する。図８に示すように、微振動パルスＶＰは、微振動膨張要素Ｐ１と、微振動ホールド要素Ｐ２と、微振動収縮要素Ｐ３とからなる台形状のパルスである。微振動膨張要素Ｐ１は、中間電位（基準電位）Ｖｍから微振動電位Ｖａまでインク滴を吐出させない程度の比較的緩い勾配で電位を上昇させる波形要素である。この微振動膨張要素Ｐ１が圧電振動子２５ａに供給されると、圧電振動子２５ａが素子長手方向に少し収縮して圧力室３２の容積が少し増える。微振動ホールド要素Ｐ２は、微振動電位Ｖａを保持する要素である。この微振動ホールド要素Ｐ２の供給期間中に亘って圧電振動子２５ａの収縮状態が維持され、圧力室３２は先の膨張状態を維持する。微振動収縮要素Ｐ３は、微振動電位Ｖａから中間電位Ｖｍまでインク滴を吐出させない程度の比較的緩い勾配で電位を下降させる波形要素である。この微振動膨張要素Ｐ１が圧電振動子２５ａに供給されると、圧電振動子２５ａが素子長手方向に少し伸長して圧力室３２の容積が基準容積に復帰する。
【００４９】
次に、第１中ドット吐出パルスＭＰ１及び第２中ドット吐出パルスＭＰ２について説明する。これらの中ドット吐出パルスＭＰ１，ＭＰ２は、中量（例えば７．５ｐｌ）のインク滴を吐出させるパルスであり、本実施形態では何れも同じ波形形状をしている。即ち、中間電位Ｖｍから最大電位Ｖｈまでインク滴を吐出させない程度の一定勾配で電位を上昇させる膨張要素Ｐ４と、最大電位Ｖｈを所定時間維持する膨張ホールド要素Ｐ５と、最大電位Ｖｈから最低電位Ｖｇまで急激に電位を下降させる吐出要素Ｐ６と、最低電位Ｖｇを所定時間維持する制振ホールド要素Ｐ７と、最低電位Ｖｇから中間電位Ｖｍまで電位を上昇させる膨張制振要素Ｐ８とから構成される。
【００５０】
この中ドット吐出パルスＭＰ１，ＭＰ２が圧電振動子２５ａに供給されると、圧電振動子２５ａや圧力室３２は次のように動作する。即ち、膨張要素Ｐ４の供給に伴って圧電振動子２５ａが大きく収縮し、圧力室３２が定常状態から最大容積まで膨張する。この膨張に伴って圧力室３２内が減圧され、メニスカスが圧力室３２側に引き込まれる。この圧力室３２の膨張状態は膨張ホールド要素Ｐ５の供給期間に亘って維持され、メニスカスはこの維持期間中に亘って自由振動する。続いて、吐出要素Ｐ６が供給されて圧電振動子２５ａが大きく伸長し、圧力室３２は最小容積まで急激に収縮する。この収縮に伴い、圧力室３２内のインクが加圧されてノズル開口３４からインク滴が吐出される。吐出要素Ｐ６に続いて制振ホールド要素Ｐ７が供給されて圧力室３２の収縮状態は維持されるが、このときメニスカスはインク滴吐出の影響を受けて大きく振動している。その後、メニスカスの振動を打ち消し得るタイミングで膨張制振要素Ｐ８が供給され、圧力室３２が基準状態まで膨張復帰する。即ち、圧力室３２内のインク圧力を相殺すべく、圧力室３２を膨張させてインク圧力を減圧する。これにより、メニスカスの振動が抑制される。
【００５１】
次に、小ドット吐出パルスＳＰについて説明する。この小ドット吐出パルスＳＰは、少量（例えば、３．５ｐｌ）のインク滴を吐出させるパルスである。本実施形態の小ドット吐出パルスＳＰは、最低電位Ｖｇから最大電位Ｖｈまで比較的急峻な勾配で電位を上昇させる引き込み要素Ｐ９と、最大電位Ｖｈを極短い時間維持する引き込みホールド要素Ｐ１０と、最大電位Ｖｈからこの最大電位Ｖｈよりも少し低い吐出電位Ｖｆまで急峻な勾配で電位を下降させる吐出要素Ｐ１１と、吐出電位Ｖｆを極短い時間維持する吐出ホールド要素Ｐ１２と、吐出電位Ｖｆから最低電位Ｖｇまで電位を下降させる収縮制振要素Ｐ１３と、最低電位Ｖｇを所定時間維持する制振ホールド要素Ｐ１４と、最低電位Ｖｇから中間電位Ｖｍまで電位を上昇させる膨張制振要素Ｐ１５とから構成される。
【００５２】
この小ドット吐出パルスＳＰが圧電振動子２５ａに供給されると、圧電振動子２５ａや圧力室３２は次のように動作する。即ち、引き込み要素Ｐ９の供給に伴って圧電振動子２５ａが大きく収縮し、圧力室３２が最小容積から最大容積まで急速に膨張する。この膨張に伴って圧力室３２内が大きく減圧され、メニスカスが圧力室３２側に大きく引き込まれる。このとき、メニスカスの中心部分、即ち、ノズル開口３４の中央付近は、一旦、大きく引き込まれ、その後、反動で凸状に盛り上がった状態になる。次に、引き込みホールド要素Ｐ１０と吐出要素Ｐ１１とが続けて供給されて、吐出要素Ｐ１１の供給に伴って圧力室３２が少し収縮してインクが少し加圧され、メニスカスの中心部分がインク滴として吐出される。
このインク滴の吐出に伴ってメニスカスは大きく振動するが、その後に供給される収縮制振要素Ｐ１３、制振ホールド要素Ｐ１４、及び、膨張制振要素Ｐ１５によって圧力室３２の容積が変動し、インク滴吐出後におけるメニスカスの振動が抑制される。
【００５３】
この後側単位周期信号ＰＤ２では、後側単位周期の開始側から順に、微振動パルスＶＰ、第１中ドット吐出パルスＭＰ１、小ドット吐出パルスＳＰ、第２中ドット吐出パルスＭＰ２の順に発生される。即ち、期間ｔ１’では微振動パルスＶＰが発生し、期間ｔ２では第１中ドット吐出パルスＭＰ１が発生する。また、期間ｔ３では小ドット吐出パルスＳＰが発生し、期間ｔ４では第２中ドット吐出パルスＭＰ２が発生する。
一方、前側単位周期信号ＰＤ１は、微振動パルスＶＰを有していない。このため、図７に示すように、前側単位周期の開始側から順に、第１中ドット吐出パルスＭＰ１、小ドット吐出パルスＳＰ、第２中ドット吐出パルスＭＰ２の順に発生される。即ち、期間ｔ２では第１中ドット吐出パルスＭＰ１が発生し、期間ｔ３では小ドット吐出パルスＳＰが発生し、期間ｔ４では第２中ドット吐出パルスＭＰ２が発生する。なお、この前側単位周期信号ＰＤ１において、期間ｔ２よりも前に期間ｔ１が設定されている。この期間ｔ１は、制御の簡素化のために設定された極短い期間であり、その機能については後で説明する。
【００５４】
そして、これらの前側単位周期信号ＰＤ１と後側単位周期信号ＰＤ２とを比較すると、その信号の発生期間（つまり時間幅）は、微振動パルスＶＰを備えていない分だけ、前側単位周期信号ＰＤ１の方が短くなる。具体的に説明すると、前側単位周期信号ＰＤ１の発生期間は、１番目のラッチ信号（ＬＡＴ）の立ち上がりから第２中ドット吐出パルスＭＰ２の終端（膨張制振要素Ｐ８の終端）であり、後側単位周期信号ＰＤ２の発生期間は、２番目のラッチ信号の立ち上がりから第２中ドット吐出パルスＭＰ２の終端である。従って、前側単位周期信号ＰＤ１と後側単位周期信号ＰＤ２とを混在させて駆動信号ＣＯＭを構成すると、必要な微振動を入れつつも信号発生周期を可及的に短くすることができる。即ち、駆動信号ＣＯＭに関し、１単位の発生期間を可及的に短くすることができる。その結果、インク滴の高周波吐出を実現することができる。
【００５５】
また、本実施形態では、微振動パルスＶＰを有する単位周期信号（本発明の第１単位周期信号に相当）を信号発生周期の後半に発生させ、微振動パルスＶＰを有さない単位周期信号（本発明の第２単位周期信号に相当）を信号発生周期の前半に発生させている。これは、インク滴の非吐出状態における微振動（印字内微振動）を信号発生周期の途中で行わせ、この微振動の効果を高めるためである。
即ち、この微振動パルスＶＰは単位周期における先頭部分で発生されるので、信号発生周期の前半に発生させてしまうと、次の信号発生周期が到来するまで微振動を行うことができず長期間に亘ってメニスカスの放置状態が継続してしまう。また、信号発生周期の先頭部分では、直前周期のインク滴吐出によってインク増粘が進んでいない可能性が高い。
そこで、本実施形態のように、微振動パルスＶＰを有さない単位周期信号を、微振動パルスＶＰを有する単位周期信号よりも前に発生させる構成を採ると、信号発生周期の途中で微振動動作が行われることとなり、ノズル開口３４付近のインク増粘を効率よく防止することができる。
なお、この観点からすれば、微振動パルスＶＰは、信号発生周期の中間に近いタイミングで発生されることが好ましい。これは、直前の信号発生周期の終了時点から微振動パルスＶＰの発生タイミングまでの時間と、微振動パルスＶＰの発生タイミングから次の信号発生周期の開始時点までの時間とが揃うからである。
これにより、メニスカスの放置時間に関し、微振動パルスＶＰの前後でばらつきが少なくなり、微振動の効果をより高めることができる。
【００５６】
ところで、この駆動信号ＣＯＭは、発生タイミング信号（ＰＴＳ）を駆動信号発生回路５７が受信する毎に発生される。この発生タイミング信号は、上記したように、リニアエンコーダ１１からのエンコーダ出力を制御部１２が逓倍することで生成されている。このため、発生タイミング信号は、完全な等間隔ではなく多少のばらつきをもって発生する可能性がある。そして、発生タイミング信号のばらつきを考慮せずに駆動信号ＣＯＭの周期あたりの時間幅（図７の例では、第２中ドット吐出パルスＭＰ２の膨張制振要素Ｐ８の終端までの時間が該当する。）を定めてしまうと、次の発生タイミングの受信時点において駆動信号ＣＯＭの発生が終了していない可能性が生じ得る。
【００５７】
この点に鑑み本実施形態では、駆動信号ＣＯＭの周期あたりの時間幅を、発生タイミング信号の発生間隔Ｔにおけるばらつきの最小値以下に設定している。この場合、例えば、発生間隔Ｔのばらつきを、スケール４１の製造精度に基づいて取得する。具体的には、ストライプ４１ａにおける形成ピッチの寸法公差から算出する。また、ストライプ４１ａにおける形成ピッチを実際にフォトインタラプタ４２で検出する等してエンコーダ出力の最小値を得る。そして、このエンコーダ出力の最小値より、発生タイミング信号の発生間隔ばらつきの最小値を取得する。
【００５８】
そして、駆動信号ＣＯＭの周期あたりの時間幅を発生タイミング信号の発生間隔ばらつきの最小値以下に設定すると、次の発生タイミングの受信時点においては駆動信号ＣＯＭの発生が確実に終了しているので、プリンタの信頼性を高めることができる。
【００５９】
同様に、本実施形態では、前側単位周期信号ＰＤ１及び後側単位周期信号ＰＤ２に関し、その時間幅を、連続するラッチ信号（ＬＡＴ）同士の発生間隔Ｔ１，Ｔ２のばらつきを考慮して規定している。即ち、各単位周期信号ＰＤ１，ＰＤ２の周期あたりの時間幅をラッチ信号の発生間隔ばらつきの最小値以下に設定している。このように構成することにより、各単位周期信号は、その次に到来するラッチ信号の発生タイミングにおいて発生が終了しているので、発生の途中で次のラッチ信号が受信されてしまう不具合を防止でき、プリンタの信頼性を高めることができる。
【００６０】
次に、上記構成のプリンタによる記録制御について説明する。図７に示すように、本実施形態では、前側単位周期信号ＰＤ１が３つの吐出パルスＳＰ，ＭＰ１，ＭＰ２によって構成され、後側単位周期信号ＰＤ２が３つの吐出パルスＳＰ，ＭＰ１，ＭＰ２と１つの微振動パルスＶＰによって構成されている。ここで、パルス選択データは、１つのパルスに１つ割り当てれば足りるので、本来であれば、前側単位周期信号ＰＤ１に対応するパルス選択データは３ビットで足りる。この点本実施形態では、パルス選択データを４ビットとしている。換言すれば、第１中ドット吐出パルスＭＰ１よりも前に、ダミーのパルス選択データを設け、ダミーのチャンネル信号ＣＨ’（即ち、ダミー選択タイミング信号）によって、このパルス選択データに基づく制御を行っている。
【００６１】
このように構成した理由は、前側単位周期信号ＰＤ１に対応するパルス選択データと、後側単位周期信号ＰＤ２に対応するパルス選択データのビット数を揃えるためである。上記したように、デコーダ６５（翻訳手段）は、印字データ（階調情報）を翻訳してパルス選択データを生成する。この時、前側単位周期信号ＰＤ１に対応するパルス選択データと、後側単位周期信号ＰＤ２に対応するパルス選択データとでデータのビット数が異なっていると、デコーダ６５は、印字データの翻訳にあたり、前側単位周期信号ＰＤ１用の印字データか、後側単位周期信号ＰＤ２用の印字データかを認識する必要が生じる。プリンタのように高速での翻訳処理を要求される装置では、このような認識動作は処理の遅延を招くため、極力行わないことが好ましい。そして、前側単位周期信号ＰＤ１用のパルス選択データと、後側単位周期信号ＰＤ２用のパルス選択データのビット数を揃えると、デコーダ６５は、ラッチされた印字データを単に翻訳すれば足りるので、翻訳処理が簡素化でき高速化が図れる。
【００６２】
そして、このようにパルス選択データのビット数を揃えたことにより、前側単位周期信号ＰＤ１用のパルス選択データにおいて微振動パルスＶＰ用のデータ（この例では最上位ビット）が余ってしまう。この余ったデータは、何らかの形で無効化する必要がある。これは、パルス選択データと選択されるパルスとの整合性がとれなくなるためである。本実施形態では、この無効化をダミーのチャンネル信号ＣＨ’を設けることで行っている。
具体的には、前側の単位周期において、ＬＡＴ信号の発生直後であって駆動信号ＣＯＭが中間電位Ｖｍの期間中に、ダミーのチャネル信号ＣＨ’を出力している。このように構成すると、微振動の階調情報［００］では、ラッチ信号の発生タイミングからダミーチャンネル信号の発生タイミングＣＨ’までの期間ｔ１においてスイッチ回路６８がオン状態となり、駆動信号ＣＯＭが圧電振動子２５ａに供給される。しかし、この期間ｔ１において駆動信号ＣＯＭは中間電位Ｖｍで一定であり、且つ、この中間電位Ｖｍは各パルスの終端電位と同電位なので、圧電振動子２５ａはそれまでの状態を維持する。従って、このパルス選択データを支障なく無効化できる。
【００６３】
なお、この圧電振動子２５ａは、長期間に亘って使用されたり、高湿度の環境下で使用されたりすると、自然放電によって電位が下降する虞がある。本実施形態のように、ダミーのチャネル信号を用いて中間電位Ｖｍを圧電振動子２５ａへ供給する構成にすると、自然放電によって振動子電位が下降していたとしても中間電位Ｖｍに復帰される。このため、吐出パルスや微振動パルスＶＰを供給するにあたり、これらのパルスを円滑に（即ち、電位ギャップを低減した状態で）供給することができる。その結果、インク滴の誤吐出等の不具合を防止することができる。
【００６４】
次に、このプリンタにおける階調制御について説明する。このプリンタでは、１つの繰り返し単位の駆動信号ＣＯＭによって２ドット分の記録を行う。そして、各ドットを４階調で記録する。このため、１つの発生タイミング信号（ＰＴＳ）に対して２つのラッチ信号（ＰＴＳ）を発生させている。また、上記した様に、１つの単位周期における制御が４ビットのパルス選択データで行われるので、１つの単位周期内に３つのチャンネル信号を発生させている。そして、デコーダ６５は、ラッチ信号の受信タイミングでパルス選択データの最上位ビットを出力し、１番目のチャンネル信号の受信タイミングでパルス選択データにおける２番目のビットを出力する。同様に、デコーダ６５は、２番目のチャンネル信号の受信タイミングでパルス選択データにおける３番目のビットを出力し、３番目のチャンネル信号の受信タイミングでパルス選択データにおける最下位ビットを出力する。
【００６５】
そして、デコーダ６５は、印字データ（階調情報）を翻訳することで４ビットのパルス選択情報を生成する。具体的には、デコーダ６５は、非吐出の階調情報［００］の翻訳によりパルス選択データ［１０００］を生成し、小ドットの階調情報［０１］の翻訳によりパルス選択データ［００１０］を生成する。また、中ドットの階調情報［１０］の翻訳によりパルス選択データ［０１００］を生成し、大ドットの階調情報［１１］の翻訳によりパルス選択データ［０１０１］を生成する。
【００６６】
これにより、図９に例示するようなインク滴の吐出制御が行われる。即ち、前側単位周期では、非吐出の階調情報［００］によって期間ｔ１でスイッチ回路６８がオン状態となり、上記したように、中間電位Ｖｍが圧電振動子２５ａに供給される。なお、この中間電位Ｖｍの供給によってはインク滴は吐出されない。そして、小ドットの階調情報［０１］によって期間ｔ３でスイッチ回路６８がオン状態となり、小ドット吐出パルスＳＰが圧電振動子２５ａに供給され、小インク滴が吐出される。また、中ドットの階調情報［１０］によって期間ｔ２でスイッチ回路６８がオン状態になり、第１中ドット吐出パルスＭＰ１が圧電振動子２５ａに供給され、中インク滴が吐出される。さらに、大ドットの階調情報［１１］によって期間ｔ２及びｔ４でスイッチ回路６８がオン状態になり、第１中ドット吐出パルスＭＰ１及び第２中ドット吐出パルスＭＰ２が続けて圧電振動子２５ａに供給され、中インク滴が２回続けて吐出される。
【００６７】
また、後側単位周期では、非吐出の階調情報［００］によって期間ｔ１’でスイッチ回路６８がオン状態となり、微振動パルスＶＰが圧電振動子２５ａに供給される。そして、他の記録階調では前側単位周期と同じ動作が行われる。簡単に説明すると、小ドットの階調情報［０１］によって小インク滴が吐出され、中ドットの階調情報［１０］によって中インク滴が１回吐出される。また、大ドットの階調情報［１１］によって中インク滴が２回続けて吐出される。
【００６８】
そして、上記した様に、本実施形態においては、駆動信号ＣＯＭの単位周期当たりの時間幅である信号発生周期の中に、微振動パルスＶＰを有する後側単位周期信号ＰＤ２と、微振動パルスＶＰを有さない前側単位周期信号ＰＤ１とを混在させているので、微振動パルスＶＰをなくした分だけ駆動信号ＣＯＭの時間幅を短縮することができる。また、信号発生周期で考えると、微振動の実行頻度が減少されるので、その分だけ電力消費を抑えることができる。
また、微振動パルスＶＰを有する単位周期信号を信号発生周期の後半に、微振動パルスＶＰを有さない単位周期信号を信号発生周期の前半にそれぞれ発生させることで、微振動パルスＶＰを信号発生周期の略中間で発生させるようにしているので、上記したように微振動の最適化を図ることができる。
さらに、吐出パルスの種類及び発生順序を、前半単位周期信号と後半単位周期信号とで揃えているので、デコーダ６５は前半単位周期信号と後半単位周期との区別をすることなく、印字データの翻訳を行える。これにより、処理の簡素化が図れて高速処理に適する。
【００６９】
ところで、本発明は、上記実施形態に限定されるものではなく、特許請求の範囲の記載に基づいて種々の変形が可能である。例えば、上記実施形態では、１つの信号発生周期の中に、２つ（Ｎ＝２）の単位周期信号を含ませ、一方の単位周を微振動パルスＶＰを有さない単位周期信号（第２単位周期信号）によって構成した例について説明したが、１つの信号発生周期の中に３以上（Ｎ≧３）の単位周期信号を含ませてもよい。
【００７０】
さらに、インク（液体）の増粘度合いは、その種類に応じて相違するので、１つの信号発生周期に含ませる単位周期信号の数（Ｎ）を吐出させるインクの種類に応じて異ならせ、その中の１つの単位周期信号を微振動パルスＶＰを有する単位周期信号（本発明における第１単位周期信号）とし、他の単位周期信号を微振動パルスＶＰを有さない単位周期信号（本発明における第２単位周期信号）としてもよい。例えば、溶媒の蒸発度合いが染料インクよりも高く、増粘し易い顔料インクでは上記実施形態の様に、１つの信号発生周期の中に２つの単位周期信号を含ませる。一方、増粘し難い染料インクでは、例えば、１つの信号発生周期の中に６〜８個の単位周期信号を含ませる。このように構成することで、微振動の実行頻度が単位周期を基準とする１／Ｎ回となり、吐出させるインクの種類に必要十分な微振動を与えつつも駆動信号ＣＯＭの発生時間を可及的に短くできる。
なお、微振動の効果を考慮するとＮは有限であり、微振動の効果が持続し得る数とされる。実験的には、増粘し難い液体であればＮ＝１６程度まで設定可能であることが確認されている。
【００７１】
また、吐出パルスは、上記の形状のものに限らず種々の吐出パルスを用いることができる。例えば、一記録周期内の吐出パルスを全て同一形状にしてもよい。
具体的には、吐出パルスを少量の液滴を吐出可能な小ドット吐出パルスＳＰ（小液滴吐出パルスの一種）によって構成し、第１単位周期信号には等間隔で発生する複数の小ドット吐出パルスＳＰと微振動パルスＶＰとを単位周期内に含ませ、第２単位周期信号には等間隔で発生する複数の小ドット吐出パルスＳＰのみを単位周期内に備える構成とする。
【００７２】
また、圧力発生素子に関し、上記の圧電振動子２５ａに限定されるものではない。例えば、撓み振動モードの圧電振動子であってもよく、磁歪素子であってもよい。さらに、静電アクチュエータであってもよい。
【００７３】
なお、本発明は、プリンタ以外の液体噴射装置及びその制御方法にも適用できる。例えば、液晶ディスプレイ等のカラーフィルタを製造するディスプレイ製造装置，有機ＥＬ（Electro Luminescence）ディスプレイやＦＥＤ（面発光ディスプレイ）等の電極を形成する電極製造装置，バイオチップ（生物化学素子）を製造するチップ製造装置，極少量の試料溶液を正確な量供給するマイクロピペット等の液体噴射装置にも適用できる。
【図面の簡単な説明】
【００７４】
【図１】プリンタの構成を説明する斜視図である。
【図２】記録ヘッドの構造を説明する断面図である。
【図３】リニアエンコーダを説明する図であり、遊転プーリー側の止着部を説明する図である。
【図４】リニアエンコーダを説明する図であり、駆動プーリー側の止着部を説明する図である。
【図５】リニアエンコーダを説明する図であり、フォトインタラプタを説明する図である。
【図６】プリンタの電気的構成を説明するブロック図である。
【図７】駆動信号とインク滴の吐出制御とを説明する図である。
【図８】後側単位周期信号を説明する図である。
【図９】記録階調と吐出制御を説明する図である。
【図１０】従来装置における駆動信号とインク滴の吐出制御とを説明する図である。
【符号の説明】
【００７５】
１…記録ヘッド、２…インクカートリッジ、３…カートリッジ保持部、４…キャリッジ、５…記録紙、６…ガイド軸、７…パルスモータ、８…駆動プーリー、９…遊転プーリー、１０…タイミングベルト、１１…リニアエンコーダ、１２…制御部、１３…紙送りモータ、１４…紙送りローラ、２１…ケース、２２…振動子ユニット、２３…流路ユニット、２４…収納空部、２５…振動子群、２５ａ…圧電振動子、２６…固定板、２７…流路形成基板、２８…ノズルプレート、２９…弾性板、３０…リザーバ、３１…インク供給口、３２…圧力室、３３…ノズル連通口、３４…ノズル開口、３５…島部、３６…薄肉部、４１…スケール、４２…フォトインタラプタ、４３…第１フック、４４…第２フック、４５…発光素子、４６…受光素子、５１…プリンタコントローラ、５２…プリントエンジン、５３…外部Ｉ／Ｆ、５４…ＲＡＭ、５５…ＲＯＭ、５６…発振回路、５７…駆動信号発生回路、５８…内部Ｉ／Ｆ、６１…第１シフトレジスタ、６２…第２シフトレジスタ、６３…第１ラッチ回路、６４…第２ラッチ回路、６５…デコーダ、６６…制御ロジック、６７…レベルシフタ、６８…スイッチ回路。
【図１】
2008120098.tif 000003
【図２】
2008120098.tif 000004
【図３】
2008120098.tif 000005
【図４】
2008120098.tif 000006
【図５】
2008120098.tif 000007
【図６】
2008120098.tif 000008
【図７】
2008120098.tif 000009
【図８】
2008120098.tif 000010
【図９】
2008120098.tif 000011
【図１０】
2008120098.tif 000012
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
圧力発生素子の作動により圧力室内の液体に圧力変動を生じさせ、ノズル開口から液滴を吐出する噴射ヘッドと、
発生タイミング信号を受信する毎に、液滴を吐出させる吐出パルスとメニスカスを微振動させる微振動パルスとを含む一連の駆動信号を発生させる駆動信号発生手段と、
前記駆動信号に含まれるパルスを液滴の吐出階調に応じて選択すると共に、選択したパルスを前記圧力発生素子に供給するパルス供給手段と、を備えた液体噴射装置において、
前記駆動信号は、微振動パルス及び吐出パルスを有する第１単位周期信号と、微振動パルスを有さず吐出パルスのみを有する第２単位周期信号と、を含み、
前記第１単位周期信号に含まれる吐出パルスの種類及び発生順序と、前記第２単位周期信号に含まれる吐出パルスの種類及び発生順序と、が同一であり、
前記駆動信号は、先頭部分に少なくとも１個の前記第２単位周期信号を有していることを特徴とする液体噴射装置。
【請求項２】
前記駆動信号は、１つの信号発生周期の中にＮ個（Ｎは２以上の整数）の単位周期信号を含むと共に、該Ｎ個の単位周期信号中の１個を前記第１単位周期信号とし、
前記信号発生周期内における微振動の実行頻度を１／Ｎ回にすることを特徴とする請求項１に記載の液体噴射装置。
【請求項３】
前記パルス供給手段は、パルスの選択タイミングを定めるための選択タイミング信号を
出力する選択タイミング信号出力手段と、選択タイミング信号の受信毎にパルス選択データを出力するパルス選択データ出力手段とを備え、
選択タイミング信号出力手段は、第２単位周期信号用の選択タイミング信号の中に、第１単位周期信号の微振動パルスに対応するダミー選択タイミング信号を含ませて出力することを特徴とする請求項１から請求項３の何れか一項に記載の液体噴射装置。
【請求項４】
前記駆動信号の時間幅を前記発生タイミング信号の発生間隔ばらつきの最小値以下に設定したことを特徴とする請求項１から請求項４の何れか一項に記載の液体噴射装置。
【請求項５】
前記吐出階調のラッチタイミングを定めるためのラッチ信号を周期的に出力するラッチ信号出力手段を設け、
前記単位周期信号の時間幅を前記ラッチ信号の発生間隔ばらつきの最小値以下に設定したことを特徴とする請求項１から請求項４の何れか一項に記載の液体噴射装置。
【請求項６】
前記吐出パルスを少量の液滴を吐出可能な小液滴吐出パルス及び中量の液滴を吐出可能な中液滴吐出パルスによって構成し、
前記第１単位周期信号は、一対の中液滴吐出パルスと、これら中液滴吐出パルス同士の間に発生される１つの小液滴吐出パルスと、前記微振動パルスとを単位周期内に備え、
前記第２単位周期信号は、一対の中液滴吐出パルスと、これら中液滴吐出パルス同士の間に発生される１つの小液滴吐出パルスとを単位周期内に備えたことを特徴とする請求項１から請求項６の何れか一項に記載の液体噴射装置。
【請求項７】
前記吐出パルスを少量の液滴を吐出可能な小液滴吐出パルスによって構成し、
前記第１単位周期信号は、等間隔で発生される複数の前記小液滴吐出パルスと前記微振動パルスとを単位周期内に備え、
前記第２単位周期信号は、等間隔で発生される複数の前記小液滴吐出パルスを単位周期内に備えたことを特徴とする請求項１から請求項６の何れか一項に記載の液体噴射装置。
【請求項８】
圧力発生素子の作動により圧力室内の液体に圧力変動を生じさせ、ノズル開口から液滴を吐出する噴射ヘッドと、
発生タイミング信号を受信する毎に、液滴を吐出させる吐出パルスとメニスカスを微振動させる微振動パルスとを含む一連の駆動信号を発生させる駆動信号発生手段と、
前記駆動信号に含まれるパルスを液滴の吐出階調に応じて選択すると共に、選択したパルスを前記圧力発生素子に供給するパルス供給手段と、を備えた液体噴射装置において、
前記駆動信号は、微振動パルス及び吐出パルスを有する第１単位周期信号と、微振動パルスを有さず吐出パルスのみを有する第２単位周期信号と、を含み、
前記第１単位周期信号に含まれる吐出パルスの種類及び発生順序と、前記第２単位周期信号に含まれる吐出パルスの種類及び発生順序と、が同一であり、
前記駆動信号は、先頭部分に少なくとも１個の前記第２単位周期信号を有していることを特徴とする液体噴射装置の制御方法。
【手続補正２】
【補正対象書類名】明細書
【補正対象項目名】００１０
【補正方法】変更
【補正の内容】
【００１０】
本発明は、上記目的を達成するために提案されたものであり、圧力発生素子の作動により圧力室内の液体に圧力変動を生じさせ、ノズル開口から液滴を吐出する噴射ヘッドと、
発生タイミング信号を受信する毎に、液滴を吐出させる吐出パルスとメニスカスを微振動させる微振動パルスとを含む一連の駆動信号を発生させる駆動信号発生手段と、
前記駆動信号に含まれるパルスを液滴の吐出階調に応じて選択すると共に、選択したパルスを前記圧力発生素子に供給するパルス供給手段と、を備えた液体噴射装置において、
前記駆動信号は、微振動パルス及び吐出パルスを有する第１単位周期信号と、微振動パルスを有さず吐出パルスのみを有する第２単位周期信号と、を含み、
前記第１単位周期信号に含まれる吐出パルスの種類及び発生順序と、前記第２単位周期信号に含まれる吐出パルスの種類及び発生順序と、が同一であり、
前記駆動信号は、先頭部分に少なくとも１個の前記第２単位周期信号を有していることを特徴とする。
【手続補正３】
【補正対象書類名】明細書
【補正対象項目名】００１２
【補正方法】変更
【補正の内容】
【００１２】
上記発明において、前記混在駆動信号は、１つの信号発生周期の中に、吐出させる液体の種類に応じて設定されたＮ個（Ｎは２以上の整数）の単位周期信号を含むと共に、該Ｎ個の単位周期信号中の１個を前記第１単位周期信号とし、前記信号発生周期内における微振動の実行頻度を１／Ｎ回にする構成が好ましい。
この発明によれば、混在駆動信号における微振動の実行頻度が液体の種類によって規定される。これにより、微振動の実行頻度が液体の種類に応じて最適化される。従って、その液体に必要充分な微振動を与えつつも、液滴の吐出周波数を可及的に高めることができる。